(57)【要約】【課題】ライブモニタリング用のＩＰネットワーク伝送時の画像圧縮方式と録画蓄積時の画像圧縮方式の双方において、効率的かつ効果的な圧縮処理が行える送信側監視システム、受信側監視システム及び監視システムを提供すること。【解決手段】ネットワーク送受信部１０６は、フレーム相関圧縮部１０２で圧縮された監視映像データを通常時にライブモニタリング用としてＩＰネットワーク３０に送信し、異常発生時等において受信側監視システム２００からＩＰネットワーク３０を経由して録画映像の再生要求を受信した時に、その再生要求を圧縮映像管理部１０４に出力し、その後、映像蓄積部１０５から入力される単一フレーム毎に圧縮された監視映像データをＩＰネットワーク３０に送信する。【選択図】図２
2007150732.tif 000002
【特許請求の範囲】
【請求項１】
監視カメラから入力された監視映像を分配する映像分配部と、
前記分配された監視映像の一方を入力しフレーム相関を利用した圧縮方式により符号化／圧縮を行うフレーム相関圧縮部と、
前記分配された監視映像の他方を入力し単一フレーム毎に順次処理する圧縮方式により符号化／圧縮を行うフレーム単一圧縮部と、
前記フレーム相関圧縮部と前記フレーム単一圧縮部において圧縮された第１及び第２の監視映像データの時刻同期を行う圧縮映像管理部と、
前記第２の監視映像データを録画蓄積する映像蓄積部と、
前記第１の監視映像データ、前記映像蓄積部に蓄積された前記第２の監視映像データをＩＰネットワークを介して受信側監視システムに送信するネットワーク送受信部と、を具備し、
前記ネットワーク送受信部は、前記第１の監視映像データをライブモニタリング用としてＩＰネットワークを介して受信側監視システムに送信し、受信側監視システムからＩＰネットワークを経由して録画映像再生要求を受信した時に、前記圧縮映像管理部より当該時刻における前記第２の監視映像データを前記映像蓄積部から検索してＩＰネットワークを介して受信側監視システムに送信する送信側監視システム。
【請求項２】
ＩＰネットワークを介して送信側監視システムからフレーム相関を用いた圧縮方式にて符号化／圧縮された第１の監視映像データ及びフレーム単一の圧縮方式にて符号化／圧縮された第２の監視映像データを受信するネットワーク送受信部と、
前記第１の監視映像データを伸張処理するフレーム相関伸張部と、
前記第２の監視映像データを伸張処理するフレーム単一伸張部と、
前記フレーム相関伸張部と前記フレーム単一伸張部でそれぞれ伸張された監視映像を表示する映像表示部と、
録画映像再生要求を入力する入力部と、を具備し、
前記ネットワーク送受信部は、前記第１の監視映像データをＩＰネットワークを介して送信側監視システムから受信し、該第１の監視映像データを前記フレーム相関伸張部で伸張処理してライブモニタリング用監視映像として前記映像表示部に表示し、前記ネットワーク送受信部は、前記入力部から入力された録画映像再生要求をＩＰネットワークを介して送信側監視システムに送信した後、前記第２の監視映像データをＩＰネットワークを介して送信側監視システムから受信し、該第２の監視映像データを前記フレーム単一伸張部で伸張処理してフレーム単位の監視映像を前記映像表示部に表示する受信側監視システム。
【請求項３】
請求項１記載の送信側監視システムと、請求項２記載の受信側監視システムとを、ＩＰネットワークを介して接続した監視システム。
【請求項４】
前記フレーム相関圧縮方式として、ＭＰＥＧ２方式を用いた請求項１記載の送信側監視システム。
【請求項５】
前記フレーム単一圧縮方式として、ＪＰＥＧ方式を用いた請求項２記載の受信側監視システム。
【請求項６】
前記フレーム単一圧縮方式として、ＷＡＶＥＬＥＴ方式を用いた請求項２記載の受信側監視システム。
【発明の詳細な説明】
【技術分野】
【０００１】
本発明は送信側監視システム、受信側監視システム及び監視システムに関し、特に、デジタル圧縮された監視映像データをＩＰネットワーク上にてやり取りする送信側監視システム、受信側監視システム及び監視システムに関する。
【背景技術】
【０００２】
従来、特許文献１に記載された監視システムは、図４に示すように、監視カメラ４０１で撮影される監視映像信号が監視システム３００に入力され、単一の画像圧縮方式による符号化／圧縮部３０１によりデジタル圧縮されて監視映像データとして画像バッファリング部３０３を介して記録媒体３０４に蓄積され、蓄積された監視映像データが画像バッファリング部３０３及び機能制御部３０２を介して読み出されてネットワーク制御部３０５によりＩＰネットワーク５００上に送信されている。
【特許文献１】特開２００４−１７２９２９号公報
【発明の開示】
【発明が解決しようとする課題】
【０００３】
しかしながら、上記従来の監視システム３００においては、監視映像の画像圧縮方式が、ライブモニタリング用のＩＰネットワーク伝送時のものと、記録蓄積時のものにおいて同一の画像圧縮方式が使われているため、どちらか一方の画像圧縮時の処理効率・効果を高めようとすると、他方の制約が大きくなるという問題があった。
【０００４】
すなわち、従来の監視システムでは、例えば、監視画像データの圧縮率を下げると、ＩＰネットワーク上の伝送負荷が重くなると共に、記録蓄積する監視画像データの容量が増大して記録時間が短くなる。また、監視画像データの圧縮率を上げると、ＩＰネットワーク上の伝送負荷は軽くなり、記録時間も長くなるが、異常発生時に再生する監視画像の品質が落ちてしまう。
【０００５】
本発明はかかる点に鑑みてなされたものであり、ライブモニタリング用のＩＰネットワーク伝送時の画像圧縮方式と録画蓄積時の画像圧縮方式の双方において、効率的かつ効果的な圧縮処理が行える送信側監視システム、受信側監視システム及び監視システムを提供することを目的とする。
【課題を解決するための手段】
【０００６】
本発明の送信側監視システムは、監視カメラから入力された監視映像を分配する映像分配部と、前記分配された監視映像の一方を入力しフレーム相関を利用した圧縮方式により符号化／圧縮を行うフレーム相関圧縮部と、前記分配された監視映像の他方を入力し単一フレーム毎に順次処理する圧縮方式により符号化／圧縮を行うフレーム単一圧縮部と、前記フレーム相関圧縮部と前記フレーム単一圧縮部において圧縮された第１及び第２の監視映像データの時刻同期を行う圧縮映像管理部と、前記第２の監視映像データを録画蓄積する映像蓄積部と、前記第１の監視映像データ、前記映像蓄積部に蓄積された前記第２の監視映像データをＩＰネットワークを介して受信側監視システムに送信するネットワーク送受信部と、を具備し、前記ネットワーク送受信部は、前記第１の監視映像データをライブモニタリング用としてＩＰネットワークを介して受信側監視システムに送信し、受信側監視システムからＩＰネットワークを経由して録画映像再生要求を受信した時に、前記圧縮映像管理部より当該時刻における前記第２の監視映像データを前記映像蓄積部から検索してＩＰネットワークを介して受信側監視システムに送信する構成を採る。
【０００７】
この構成によれば、ＩＰネットワーク上での監視映像データの伝送において、ライブモニタリング用及び録画蓄積フレームの参照用の双方の伝送処理において低負荷で効率的に処理することができる。
【０００８】
また、本発明の受信側監視システムは、ＩＰネットワークを介して送信側監視システムからフレーム相関を用いた圧縮方式にて符号化／圧縮された第１の監視映像データ及びフレーム単一の圧縮方式にて符号化／圧縮された第２の監視映像データを受信するネットワーク送受信部と、前記第１の監視映像データを伸張処理するフレーム相関伸張部と、前記第２の監視映像データを伸張処理するフレーム単一伸張部と、前記フレーム相関伸張部と前記フレーム単一伸張部でそれぞれ伸張された監視映像を表示する映像表示部と、録画映像再生要求を入力する入力部と、を具備し、前記ネットワーク送受信部は、前記第１の監視映像データをＩＰネットワークを介して送信側監視システムから受信し、該第１の監視映像データを前記フレーム相関伸張部で伸張処理してライブモニタリング用監視映像として前記映像表示部に表示し、前記ネットワーク送受信部は、前記入力部から入力された録画映像再生要求をＩＰネットワークを介して送信側監視システムに送信した後、前記第２の監視映像データをＩＰネットワークを介して送信側監視システムから受信し、該第２の監視映像データを前記フレーム単一伸張部で伸張処理してフレーム単位の監視映像を前記映像表示部に表示する構成を採る。
【０００９】
この構成によれば、ライブモニタリング用及び録画蓄積フレームの参照用の双方において伸張処理を低負荷で効率的に処理することができ、ユーザも単一の表示部により効率的な監視が可能となる。
【発明の効果】
【００１０】
本発明によれば、ライブモニタリング用及び録画蓄積フレームの参照用の双方において効率的に映像の圧縮／伸張処理ができ、ＩＰネットワーク上での監視映像データの伝送効率を向上させることができる。
【発明を実施するための最良の形態】
【００１１】
以下、本発明の実施の形態について図面を参照して詳細に説明する。
【００１２】
図１は、本実施の形態の監視システムの全体構成を示す図である。図１において、監視システム１０は、監視カメラ２０が接続された送信側監視システム１００と、受信側監視システム２００と、がＩＰネットワーク３０を介して接続されている。
【００１３】
図２は、送信側監視システム１００の構成を示すブロック図である。図２において、送信側監視システム１００は、映像分配部１０１と、フレーム相関圧縮部１０２と、フレーム単一圧縮部１０３と、圧縮映像管理部１０４と、映像蓄積部１０５と、ネットワーク送受信部１０６と、から構成される。
【００１４】
映像分配部１０１は、監視カメラ２０から入力される監視映像信号をフレーム相関圧縮部１０２とフレーム単一圧縮部１０３に分配する。
【００１５】
フレーム相関圧縮部１０２は、分配された監視映像信号のフレーム相関を利用した圧縮方式、例えば、ＭＰＥＧ２（Moving Picture Experts Group phase 2）方式により符号化／圧縮を行って、圧縮映像データを圧縮映像管理部１０４とネットワーク送受信部１０６に出力する。
【００１６】
フレーム単一圧縮部１０３は、分配された監視映像信号の単一のフレーム毎に順次処理する圧縮方式、例えば、ＪＰＥＧ（Joint Photographic Experts Group）方式により符号化／圧縮を行って、圧縮映像データを圧縮映像管理部１０４と映像蓄積部１０５に出力する。
【００１７】
圧縮映像管理部１０４は、フレーム相関圧縮部１０２とフレーム単一圧縮部１０３の双方から入力された各監視映像データの時刻同期を行って、同時刻に圧縮されたフレーム相関を用いて圧縮された映像データと、単一フレーム毎に圧縮された映像データには、同じ時刻情報を付加する。そして、この時刻情報と共に単一のフレーム毎に圧縮された監視映像データを映像蓄積部１０５に出力する。圧縮映像管理部１０４は、単一フレーム毎に圧縮された映像データを時刻情報と共に蓄積する。また、圧縮映像管理部１０４は、ネットワーク送受信部１０６で受信された記録映像の再生要求が入力されると、再生要求に含まれる時刻情報に対応する単一フレームにて圧縮された監視映像データを映像蓄積部１０５において検索し、当該データを映像蓄積部１０５により読み出して、ネットワーク送受信部１０６によりＩＰネットワーク３０に送信させる。
【００１８】
映像蓄積部１０５は、単一のフレーム毎に圧縮された監視映像データを録画蓄積する。また、映像蓄積部１０５は、圧縮映像管理部１０４により検索された監視映像データを再生してネットワーク送受信部１０６に出力する。
【００１９】
ネットワーク送受信部１０６は、フレーム相関圧縮部１０２で圧縮された監視映像データを通常時にライブモニタリング用としてＩＰネットワーク３０に送信するとともに、異常発生時等において受信側監視システム２００からＩＰネットワーク３０を経由して録画映像の再生要求を受信した時に、その再生要求を圧縮映像管理部１０４に出力し、その後、映像蓄積部１０５から入力される再生監視映像データをＩＰネットワーク３０に送信する。
【００２０】
図３は、受信側監視システム２００の構成を示すブロック図である。図３において、受信側監視システム２００は、ネットワーク送受信部２０１と、フレーム相関伸張部２０２と、フレーム単一伸張部２０３と、映像表示部２０４と、入力部２０５と、から構成される。
【００２１】
ネットワーク送受信部２０１は、通常時に、ＩＰネットワーク３０からライブモニタリング用の監視映像データを受信してフレーム相関伸張部２０２に出力し、異常時に、入力部２０５から入力される録画映像再生要求をＩＰネットワーク３０に送信し、その後、ＩＰネットワーク３０から再生監視映像データを受信してフレーム単一伸張部２０３に出力する。
【００２２】
フレーム相関伸張部２０２は、通常時に、ネットワーク送受信部２０１により入力されるライブモニタリング用の監視映像データ、すなわち、フレーム相関を用いた圧縮方式にて符号化／圧縮された監視映像データを伸張処理して映像表示部２０４に出力する。
【００２３】
フレーム単一伸張部２０３は、異常時に、ネットワーク送受信部２０１により入力される再生監視映像データ、すなわち、単一のフレーム毎に符号化／圧縮された監視映像データを伸張処理して映像表示部２０４に出力する。
【００２４】
映像表示部２０４は、通常時に、フレーム相関伸張部２０２により入力される伸張された監視映像を表示し、異常時に、フレーム単一伸張部２０３により入力される伸張された監視映像を表示する。入力部２０５は、記録映像の再生要求を入力する為の入力機能を有する。
【００２５】
次に、送信側監視システム１００における動作について、図２を参照して説明する。
【００２６】
監視カメラ２０で撮影された監視映像は、通常時においては、フレーム相関圧縮部１０２において伝送効率の良いフレーム相関を用いた圧縮方式で符号化／圧縮され、ネットワーク送受信部１０６によりＩＰネットワーク３０を介して受信側監視システム２００に送信される。
【００２７】
同時に、蓄積用として、監視カメラ２０で撮影された監視映像は、フレーム単一圧縮部１０３にて所望の１フレームのみを参照したり、タイムラプス記録する際に無駄なデータの伝送が不要で取扱いが容易な単一のフレーム毎の圧縮方式にて符号化／圧縮されて映像蓄積部１０５に録画蓄積される。
【００２８】
そして、蓄積された監視映像データは、ネットワーク送受信部１０６により録画映像再生要求信号が受信され、圧縮映像管理部１０４により該当時刻の監視映像データが検索された後、当該データが映像蓄積部１０５により読み出されて、ネットワーク送受信部１０６によりＩＰネットワーク３０を介して受信側監視システム２００に送信される。
【００２９】
このように、本実施の形態の送信側監視システムによれば、ＩＰネットワーク上での監視映像データの伝送において、ライブモニタリング用及び録画蓄積フレームの参照用の双方の伝送処理において低負荷で効率的に処理することができる。
【００３０】
次に、受信側監視システム２００における動作について、図３を参照して説明する。
【００３１】
図３において、受信側監視システム２００は、ＩＰネットワーク３０から監視映像データをネットワーク送受信部２０１で受信する。ネットワーク送受信部２０１は、通常時は、フレーム相関を用いた圧縮方式にて符号化／圧縮された監視映像データを受信してフレーム相関伸張部２０２に出力する。フレーム相関伸張部２０２は、入力された監視映像データを伸張して映像表示部２０４に出力して、ライブモニタリング用の監視映像を表示させる。
【００３２】
受信側監視システム２００のユーザは、映像表示部２０４に表示される監視映像に異常発生等を確認すると、入力部２０５から録画映像再生要求を入力する。入力部２０５から録画映像再生要求信号がネットワーク送受信部２０１に入力されると、異常発生時刻等を含む録画映像再生要求信号がＩＰネットワーク３０を介して送信側監視システム１００に送信される。
【００３３】
送信側監視システム１００では、ネットワーク送受信部１０６により録画映像再生要求信号が受信されると、上記動作により映像蓄積部１０５から該当時間の監視映像データが読み出され、ネットワーク送受信部１０６によりＩＰネットワーク３０を介して受信側監視システム２００に送信される。
【００３４】
そして、受信側監視システム２００では、ネットワーク送受信部２０１により無駄なデータ伝送が不要で取扱いが容易なフレーム単一の圧縮方式にて符号化／圧縮された監視映像データを受信し、その監視映像データをフレーム単一伸張部２０３で伸張して映像表示部２０４に出力する。映像表示部２０４では、蓄積された監視映像をフレーム単位で閲覧することになる。
【００３５】
以上のように、本実施の形態の受信側監視システムによれば、ライブモニタリング用及び録画蓄積フレームの参照用の双方において伸張処理を低負荷で効率的に処理することができ、ユーザも単一の表示部により効率的な監視が可能となる。
【００３６】
したがって、本実施の形態の監視システムによれば、送信側監視システム及び受信側監視システムにおいて、ライブモニタリング用及び録画蓄積フレームの参照用の双方において効率的に映像の圧縮／伸張処理ができるという効果を有し、ＩＰネットワーク上での監視映像データの伝送効率を向上させることができる。
【００３７】
なお、上記実施の形態では、フレーム単一の圧縮方式としてＪＰＥＧ方式を用いた場合を説明したが、これに限るものではなく、例えば、ＷＡＶＥＬＥＴ方式を用いるようにしても良い。
【産業上の利用可能性】
【００３８】
本発明にかかる監視システムは、ライブモニタリング用のＩＰネットワーク伝送時の画像圧縮方式と録画蓄積時の画像圧縮方式の双方において、効率的かつ効果的な圧縮処理が行えるという効果を有し、ＩＰネットワーク上での映像伝送等として有用である。
【図面の簡単な説明】
【００３９】
【図１】本発明の実施の形態に係る監視システムの全体構成を示す図
【図２】本実施の形態に係る送信側監視システムの構成を示すブロック図
【図３】本実施の形態に係る受信側監視システムの構成を示すブロック図
【図４】従来の監視システムの構成を示すブロック図
【符号の説明】
【００４０】
１０  監視システム
２０  監視カメラ
３０  ＩＰネットワーク
１００  送信側監視システム
１０１  映像分配部
１０２  フレーム相関圧縮部
１０３  フレーム単一圧縮部
１０４  圧縮映像管理部
１０５  映像蓄積部
１０６、２０１  ネットワーク送受信部
２００  受信側監視システム
２０２  フレーム相関伸張部
２０３  フレーム単一伸張部
２０４  映像表示部
２０５  入力部
【図１】
2007150732.tif 000003
【図２】
2007150732.tif 000004
【図３】
2007150732.tif 000005
【図４】
2007150732.tif 000006